(57)【特許請求の範囲】
【請求項１】
薄い合成樹脂で形成された側面と、この側面の一端側に設けられた底面部と、上記底面部中央に形成されこの底面部に対して略直角に上方へ向かって突出した突起と、上記突起の基端部またはその周縁部の上記底面部に形成された切込線と、上記突起の基端部に形成され上記突起の変位状態を維持する係止手段を有し、この係止手段は、上記突起の基端部を弾性変形させて変位させることにより、上記切込線により上記底面部に開口部を形成し、その状態で上記突起を係止するとともに、この係止の解除により上記突起が変位状態から元の状態に復帰可能に設けられたことを特徴とするカップ麺用計量容器。
【請求項２】
上記係止手段には、上記突起の基端部を一周して形成され上記底面部に近づくにつれて広がった傾斜面である屈曲部と、上記屈曲部と上記突起の境界である第一屈曲線と、上記屈曲部と上記底面部の境界である第二屈曲線が設けられ、上記切込線は、上記第二屈曲線から上記底面部にわたって略Ｕ字形に形成されていることを特徴とする請求項１記載のカップ麺用計量容器。
【請求項３】
上記係止手段には、上記突起の基端部を一周して形成され上記底面部に近づくにつれて広がった傾斜面である屈曲部と、上記屈曲部と上記突起の境界である第一屈曲線と、上記屈曲部と上記底面部の境界である第二屈曲線が設けられ、上記切込線は、上記第二屈曲線から上記底面部にわたって形成された略平行な二本の直線から成ることを特徴とする請求項１記載のカップ麺用計量容器。
【請求項４】
上記切込線は、上記底面部で上記突起の基端部を囲んで湾曲部が設けられた略Ｕ字形に形成され、上記係止手段は、上記突起の基端部側面に形成され上記突起を変位させることにより上記切込線に係止する角部であることを特徴とする請求項１記載のカップ麺用計量容器。
【請求項５】
上記係止手段には、上記突起の基端部を一周して形成され上記底面部と平行に形成された平面部と、この平面部の外側に形成され上記底面部に近づくにつれて広がった傾斜面である屈曲部と、上記屈曲部と上記平面部の境界である第一屈曲線と、上記屈曲部と上記底面部の境界である第二屈曲線が設けられ、上記切込線は、上記第一屈曲線から上記屈曲部にわたって略Ｕ字形に形成されていることを特徴とする請求項１記載のカップ麺用計量容器。
【請求項６】
上記係止手段には、上記突起の基端部を一周して形成され上記底面部と平行に形成された平面部と、この平面部の外側に形成され上記底面部に近づくにつれて広がった傾斜面である屈曲部と、上記屈曲部と上記平面部の境界である第一屈曲線と、上記屈曲部と上記底面部の境界である第二屈曲線が設けられ、上記切込線は、上記第一屈曲線から上記平面部にわたって略Ｕ字形に形成されていることを特徴とする請求項１記載のカップ麺用計量容器。
【請求項７】
上記係止手段には、上記突起の基端部を一周して形成され上記底面部に近づくにつれて広がった傾斜面である屈曲部と、上記屈曲部と上記突起の境界である第一屈曲線と、上記屈曲部と上記底面部の境界である第二屈曲線が設けられ、上記切込線は、上記屈曲部から上記第二屈曲線を横切り上記底面部にかけて延び、上記突起を挟んでほぼ並行に位置していることを特徴とする請求項１記載のカップ麺用計量容器。
【発明の詳細な説明】
【０００１】
【発明の属する技術分野】
この発明は、カップ麺に注ぐ調理用の水を計るカップ麺用計量容器に関する。
【０００２】
【従来の技術】
従来、乾燥した麺や粉体のスープが入った容器本体に水を注ぎ、電子レンジで加熱調理する即席のカップ麺があった。カップ麺の種類により注入する水の量はおおよそ決まっており、うどんやラーメン等スープの多いものは容器本体の内周面に付けられた水位線まで注水する。しかし焼きそば等の場合、注水量が少なく麺の高さより水位が低いため、水量がわかりにくいものであった。そこで、容器本体の内側に入れられている別体の計量容器により水を計量し、容器本体に注水するものがあった。このような計量容器は、容器本体の内側に設けられ、乾燥した麺の上に載せられてセットされている。計量容器の内周面には、水位線が設けられている。
【０００３】
【発明が解決しようとする課題】
上記従来の技術の場合、計量容器をセットするため、容器本体はカップ麺を収納し、食べることに必要な大きさよりもかなり深い形状にしなければならない。このため、容器本体が大きくなり製造コストがかかり保管に場所を取るものであった。また、水を入れるときは、計量容器を容器本体から外し、水を入れて運び、計量容器を傾けて注水しなければならず、手間がかかるものであった。しかも、容器本体を小さくするために、計量容器を水位線ぎりぎりの深さに形成することが好ましいが、水の運搬や注入の際にこぼれやすいものとなる。このため、水こぼれ防止のために、水位線よりも側面が十分高い計量容器が必要であり、容器本体を小さくすることはできないものであった。
【０００４】
この発明は上記従来の問題点に鑑みてなされたものであり、水の計量と注入を簡単な操作で行うことができ、比較的浅い形状が可能なカップ麺用計量容器を提供することを目的とする。
【０００５】
【課題を解決するための手段】
この発明のカップ麺用計量容器は、薄い合成樹脂で形成された側面と、この側面の一端側に設けられた底面部と、上記底面部中央に形成されこの底面部に対して略直角に上方へ向かって突出した突起と、上記突起の基端部またはその周縁部の上記底面部に形成された切込線と、上記突起の基端部に形成され上記突起の変位状態を維持する係止手段を有し、この係止手段は、上記突起の基端部を弾性変形させて変位させることにより、上記切込線により上記底面部に開口部を形成し、その状態で上記突起を係止するとともに、この係止の解除により上記突起が変位状態から元の状態に復帰可能に設けられたものである。
【０００６】
また、上記係止手段には、上記突起の基端部を一周して形成され上記底面部に近づくにつれて例えば笠状に広がった傾斜面である屈曲部と、上記屈曲部と上記突起の境界である円形の第一屈曲線と、上記屈曲部と上記底面部の境界であり第一屈曲線より径が大きい同心円の第二屈曲線が設けられている。上記切込線は、上記第二屈曲線から上記底面部にわたってほぼ上記第二屈曲線の中心から遠ざかる方向に延びてさらに略Ｕ字形に形成されている。
【０００７】
また、上記係止手段には、上記突起の基端部を一周して形成され上記底面部に近づくにつれて笠状に広がった傾斜面である屈曲部と、上記屈曲部と上記突起の境界である円形の第一屈曲線と、上記屈曲部と上記底面部の境界であり第一屈曲線より径が大きい同心円の第二屈曲線が設けられているとともに、上記切込線は、上記第二屈曲線から上記底面部にわたって略平行な２本の直線から成る。
【０００８】
または、上記切込線は、上記底面部で上記突起の基端部を囲んで湾曲部が形成されたＵ字形に形成され、上記係止手段は、上記突起の基端部側面に形成され上記突起を変位させることにより上記切込線に係止する角部であっても良い。
【０００９】
また、上記係止手段には、上記突起の基端部を一周して形成され上記底面部と平行に形成された平面部と、この平面部の外側に形成され上記底面部に近づくにつれて広がった傾斜面である屈曲部と、上記屈曲部と上記平面部の境界である円形の第一屈曲線と、上記屈曲部と上記底面部の境界であり第一屈曲線より径が大きい同心円の第二屈曲線が設けられ、上記切込線は、上記第一屈曲線から上記屈曲部にわたって略Ｕ字形に形成されているものである。
【００１０】
または、上記係止手段には、上記突起の基端部を一周して形成され上記底面部と平行に形成された平面部と、この平面部の外側に形成され上記底面部に近づくにつれて広がった傾斜面である屈曲部と、上記屈曲部と上記平面部の境界である円形の第一屈曲線と、上記屈曲部と上記底面部の境界であり第一屈曲線より径が大きい同心円の第二屈曲線が設けられ、上記切込線は、上記第一屈曲線から上記平面部にわたって略Ｕ字形に形成されているものである。
【００１１】
上記係止手段には、上記突起の基端部を一周して形成され上記底面部に近づくにつれて広がった傾斜面である屈曲部と、上記屈曲部と上記突起の境界である第一屈曲線と、上記屈曲部と上記底面部の境界である第二屈曲線が設けられている。上記切込線は、上記屈曲部から上記第二屈曲線を横切り上記底面部にかけて延び、上記突起を挟んでほぼ並行に位置している。
【００１２】
また、上記側面の開口縁部には、側方に突出するフランジが一周して設けられ、このフランジが上記容器本体の内側面に当接して係止される。そして上記フランジには、エア抜き用の凹部が形成されている。
【００１３】
この発明のカップ麺用計量容器は、容器本体にセットされた状態で水を入れて計量する。そして突起を変位させると、底面部や屈曲部が弾性変形して切込線の内側の突起に近い部分が変位して開口部が形成され、この開口部から計量された水が容器本体の中へ流れ落ちる。
【００１４】
【発明の実施の形態】
以下、この発明の実施形態について図面に基づいて説明する。図１〜図３はこの発明の第一実施形態を示すもので、この実施形態のカップ麺用の計量容器１０は、カップ麺の容器本体１２の内側に入れられ、容器本体１２の中程から下方に詰められている内容物１４の上方の空間に入れられている。
【００１５】
計量容器１０は弾性を有する薄い合成樹脂製であり、容器本体１２の内側面よりもわずかに小さい半径で形成される円筒状の側面１６と、側面１６の一端側に連続する円形の底面部１８が設けられている。側面１６の反対側端部は開口縁部１６ａとなる。側面１６の途中には、開口縁部１６ａ寄りの位置に、開口縁部１６ａに対して平行な段部である水位線１７が一周して形成されている。側面１６の開口縁部１６ａには、容器本体１２の内側面に向かって広がったフランジ２０が一周して形成されている。フランジ２０の周縁部の形状は、容器本体１２の内側面で、開口縁部１２ａよりわずかに下方の部分の内径と等しい直径を有する円形である。そして、計量容器１０はフランジ２０が容器本体１２の内側面に当接して、容器本体１２に係止される。フランジ２０の二カ所には、エア抜き用の凹部２１が互いに等間隔で形成されている。
【００１６】
そして、計量容器１２の底面部１８の中央には、上方に突出する突起２２が形成されている。突起２２の高さは、側面１６の深さとほぼ同じで、中空状に形成されている。突起２２の基端部には、突起２２を押し下げたとき底面部１８に係止される係止手段を兼ねた屈曲部２４が設けられている。屈曲部２４は、突起２２の基端部を一周して形成され、底面部１８に近づくにつれて突起２２から離れるように広がった笠状の傾斜面である。突起２２と屈曲部２４の境界は円形の第一屈曲線２６で区切られている。また、屈曲部２４と底面部１８の境界は第一屈曲線より径が大きい同心円の第二屈曲線２８で区切られている。
【００１７】
底面部１８には、突起２２を挟んで一対の切込線３０が形成されている。各切込線３０は、第二屈曲線２８の少し内側から底面部１８にかけて形成され、第二屈曲線２８のほぼ中心から遠ざかる方向に沿って一対の直線部分が互いに平行に形成されているとともに、底面部１８に形成されたその先端部が湾曲して互いにつながれてＵ字形に設けられている。これにより、各切込線３０の内側は、舌片３２となっている。
【００１８】
次に計量容器１０の使用方法について説明する。まず、図１に示すように計量容器１０を容器本体１２にセットした状態で、調理用の水を計量容器１０の中へ水位線１７まで注入する。そして、突起２２を押し下げ、計量容器１０の底面部１８を弾性変形させる。このとき、図１の仮想線で示すように、第一屈曲線２６では、突起２２と屈曲部２４の角度が小さくなり、底面部１８よりも低い位置に下がる。そして第二屈曲線２８では、底面部１８と屈曲部２４の角度が大きくなる。そして、屈曲部２４は、底面部１８よりも低い位置に下がるとともに、突起２２が上に戻ろうとする力に抗して支えとなるために、突起２２は下がった状態で係止される。これにともなって、図１の仮想線で示すように、一対の舌片３２は、底面部１８の下に位置する屈曲部２４との角度を維持しようとして、切込線３０で底面部１８から離れて上方へ向かってはね上がる。そして、切込線３０の内側には、舌片３２が起き上がったことにより、切込線３０による開口部が形成され、ここから、計量容器１０に入れられた調理用の水がカップ麺の容器本体１２に流れ落ちる。このとき、フランジ２０の凹部２１は容器本体１２の内側面との間に隙間を生じるため、ここから容器本体１２内の空気が出て、円滑に水が落下する。次に突起２２を上方に引っ張り、所定以上の力が働くと屈曲部２４が弾性変形して元の位置に戻り、再び舌片３２を底面部１８に閉鎖する。この状態で電子レンジで所定時間加熱し、内容物１４を調理する。このとき、容器本体１２の開口縁部１２ａは計量容器１０で閉鎖されているため、蒸気が充満し加熱調理を効果的なものにする。また凹部２１は、過剰の蒸気を逃がす蒸気抜き口となり、加熱調理中に容器が破裂するのを防止する。
【００１９】
この実施形態の計量容器１０によれば、簡単に水の計量と注水を行うことができる。容器本体１２に計量容器１０をセットしたまま注水し、突起２２を押すだけでワンタッチで注入することができ、水をこぼしたりする心配がない。このため、計量容器１０の開口縁部１６ａ近くまで注水することができ、計量容器１０を小さくすることが可能で、それにともない容器本体１２を小さくすることができる。計量容器１０は、容器本体１２にセットされたまま使用されるので、強度を必要とせず、薄くすることができ重量も軽くなる。さらに、簡単な構造でしかも小形、軽量であるため、高い生産性が得られる。
【００２０】
次に、この発明の第二実施形態について図４，図５に基づいて説明する。ここで、上述の実施の形態と同様の部材は同様の符号を付して説明を省略する。この実施形態の計量容器３４は、底面部１８に切込線３６が形成されている。切込線３６は互いに平行な二本の同じ長さの直線を一組として、突起２２を挟んで二組形成されている。各切込線３６の一対の直線は、第二屈曲線２８の少し内側から底面部１８にかけて形成されほぼ第二屈曲線２８の中心から遠ざかる方向に平行に形成されている。そして、各切込線３６の内側は、帯部３８となっている。
【００２１】
次に計量容器３４の使用方法について説明する。まず、計量容器３４を容器本体１２にセットした状態で、調理用の水を計量容器３４の中へ水位線１７まで注入する。そして、突起２２を押し下げ、計量容器３４の底面部１８を弾性変形させる。このとき第一屈曲線２６では、突起２２と屈曲部２４の角度が小さくなり、底面部１８よりも低い位置に下がる。そして第二屈曲線２８では、底面部１８と屈曲部２４の角度が大きくなる。屈曲部２４は、底面部１８よりも低い位置に下がるとともに、突起２２が上に戻ろうとする力に抗して支えとなるために、突起２２は下がった状態で係止される。これにともなって一対の帯部３８は、底面部１８の下に位置する屈曲部２４と面一になろうとして切込線３６で底面部１８から離れて上方へ湾曲する。そして切込線３６には底面部１８と帯体３８の間に上下方向に開口した開口部が形成される。ここから、計量容器３４に入れられた調理用の水がカップ麺の容器本体１２に流れ落ちる。次に突起２２を上方に引っ張り、再び帯体３８を底面部１８に閉鎖する。この状態で電子レンジで所定時間加熱し、内容物１４を調理する。
【００２２】
この実施形態の計量容器３４によれば、上記実施の形態と同様の効果を有するものである。そして、突起２２を押し下げて水を容器本体１２に入れるとき、帯体３８は屈曲部２４が下がっている状態で保持されているため、確実に切込線３６による開口部が形成され、操作性が良好である。
【００２３】
次に、この発明の第三実施形態について図６，図７に基づいて説明する。ここで、上述の実施の形態と同様の部材は同様の符号を付して説明を省略する。この実施形態の計量容器４０は、底面部１８の突起２２の周囲に切込線４２が形成されている。切込線４２は突起２２を中心とするＵ字形に形成されている。切込線４２の内側は、舌片４４となっている。そして、突起２２の基端部より少し上方には、突起２２を押し下げたとき、底面部１８の切込線４２の縁部に係止される係止手段である角部４７を備えた段部４６が一周して設けられている。
【００２４】
次に計量容器４０の使用方法について説明する。まず、計量容器４０を容器本体１２にセットした状態で、調理用の水を計量容器４０の中へ水位線１７まで注入する。そして、突起２２を押し下げ、計量容器４０を弾性変形させる。これにより舌片４４は、切込線４２で底面部１８から離れて底面部１８の下に位置する。そして、突起２２の段部４６の角部４７が、底面部１８の、切込線４２により切り残された端縁部に係止され、舌片４４は確実に下がった状態で保持される。そして、切込線４２には、底面部１８と舌片４４の間に上下方向に開口した開口部が形成される。ここから、計量容器４０に入れられた調理用の水がカップ麺の容器本体１２に流れ落ちる。次に突起２２を上方に引っ張り、段部４６を底面部１８から外し、突起２２を上に持ち上げるとともに、再び舌片４４は底面部１８を閉鎖する。この状態で電子レンジで所定時間加熱し、内容物１４を調理する。
【００２５】
この実施形態の計量容器４０によれば、上記実施の形態と同様の効果を有するものである。そして、切込線４２の形状が単純であるため製造が簡単である。
【００２６】
次に、この発明の第四実施形態について図８〜図１０に基づいて説明する。ここで、上述の実施の形態と同様の部材は同様の符号を付して説明を省略する。この実施形態の計量容器５０は、上記第三実施形態と同様に、底面部１８の突起２２の周囲にＵ字形の切込線４２が形成され、切込線４２の内側に突起２２と同心状に下方に突出した段部５２が形成されている。そして、突起２２の基端部は、この段部５２内で底面部１８よりもわずかに下方に位置している。そして、段部５２の下端の角部５３は、突起２２を図９に示すように側方に変位させたとき、底面部１８の切込線４２の端縁部に係止される係止手段となっている。
【００２７】
この計量容器５０の使用方法は、上記実施形態と同様に、計量容器４０を容器本体１２にセットした状態で、調理用の水を計量容器５０の中へ水位線１７まで注入する。そして、突起２２を側方に押し、図９に示すように、切込線４２から段５２を引き上げるようにし、底面部１８の切込線４２の端縁部に角部５３が係止され、舌片４４は確実に起こされた状態で保持される。これにより、切込線４２には、底面部１８と舌片４４の間に、上下方向に開口した開口部が形成され、ここから、計量容器４０に入れられた調理用の水がカップ麺の容器本体１２に流れ落ちる。以下、上記と同様に調理する。
【００２８】
この実施形態の計量容器４０によっても、上記実施形態と同様の効果を得ることができる。
【００２９】
次に、この発明の第五実施形態について図１１〜図１３に基づいて説明する。ここで、上述の実施の形態と同様の部材は同様の符号を付して説明を省略する。この実施形態の計量容器５４は、突起２２の基端部に幅の狭い環状の平面部５５が形成され、その外側に第一屈曲線５６が形成されている。そして第一屈曲線５６外側に、上記第一実施形態と同様で相対的に大きな笠状の屈曲部５７を介して第二屈曲線５８が同心状に形成されている。そして、第一屈曲線５６から屈曲部５７に、Ｕ字状の切込線６０が形成されている。切込線６０は、互いに平行な二本の同じ長さの直線の先端部が屈曲部５７の途中で互いに近づく方向に湾曲してＵ字状に形成され、舌片６２を形成している。この舌片６２は突起２２を挟んで互いに対称に一対設けられている。
【００３０】
この計量容器５４の使用方法は、上記実施形態と同様に、計量容器５４を容器本体１２にセットした状態で、調理用の水を計量容器５４の中へ注入する。そして、突起２２を押し下げ、図１２に示すように、計量容器５４の屈曲部５７を弾性変形させる。このとき第一屈曲線５６では、舌片６２が下方を向いたまま第二屈曲線５８が下方に屈曲するので、切込線６０の内側に開口部が形成される。
【００３１】
この実施形態の計量容器５４によっても、上記実施の形態と同様の効果を有するものである。
【００３２】
次に、この発明の第六実施形態について図１４〜図１６に基づいて説明する。ここで、上述の実施の形態と同様の部材は同様の符号を付して説明を省略する。この実施形態の計量容器６４は、突起２２の基端部に幅の広い環状の平面部６５が形成され、その外側に第一屈曲線６６が形成され、さらにその外側に、上記第一実施形態と同様で相対的に大きな笠状の屈曲部６７を介して第二屈曲線６８が同心状に形成されている。そして、第一屈曲線６６から平面部６５に、Ｕ字状の切込線７０が形成されている。切込線７０は、互いに平行な二本の同じ長さの直線の先端部が第一屈曲線６６を横切り、平面部６５の突起２２近傍で、互いに近づく方向に湾曲してＵ字状に形成され、舌片７２を形成している。この舌片７２は突起２２を挟んで互いに対称に一対設けられている。
【００３３】
この計量容器６４の使用方法は、上記実施形態と同様に、計量容器６４を容器本体１２にセットした状態で、調理用の水を計量容器６４の中へ注入する。そして、突起２２を押し下げ、図１５に示すように、計量容器６４の屈曲部６７を弾性変形させる。このとき第一屈曲線６６では、舌片７２が屈曲部６７との角度を保ったまま第二屈曲線６８で屈曲するので、切込線７０の内側に舌片７２による開口部が形成される。
【００３４】
この実施形態の計量容器６４によっても、上記実施の形態と同様の効果を有するものである。
【００３５】
次に、この発明の第七実施形態について図１７〜図１９に基づいて説明する。ここで、上述の実施の形態と同様の部材は同様の符号を付して説明を省略する。この実施形態の計量容器７４は、底面部１８から第二屈曲線７８を横切って屈曲部７７に切込線７６が形成されている。切込線７６は互いに平行な二本の同じ長さの直線であり、突起２２を挟んで互いに平行に二本形成されている。また、突起２２の頭部には、操作を容易にするための凹部８０が形成されている。
【００３６】
この計量容器７４の使用方法も上記実施形態と同様であり、突起２２の凹部８０を押圧することにより、第一屈曲線７５で切込線７６間の屈曲部７７が下方に変位し、図１８の状態で安定になる。この状態で、切込線７６により屈曲部７７に開口部が形成される。
【００３７】
また、成型時の形状を図１７とは反対に、図２０〜図２２に示すように、突起２２の周囲に形成された屈曲部８７が、突起２２の基端部に向かうに従い下方に傾斜した屈曲部８７を備えたものであっても良い。この場合、上記実施形態とは動作が逆になり。屈曲部８７には断線７６による開口部を形成させる際には、突起２２の摘み用凹部８２を保持して突起２２を引き上げると、図２１に示すように、屈曲部８７の切込線７６による開口部が形成される。
【００３８】
なお、この発明のカップ麺用計量容器は、上記各実施の形態に限定されるものではなく、素材や側面の形状等は自由に変更可能である。また、突起や係止部、切込線の、形状や位置、数等も、確実に底面部に開口部が形成された状態を維持可能なものであればよい。
【００３９】
さらに、調理方法は、水を入れて電子レンジで加熱するばかりでなく、容器中に熱湯を注いで、電子レンジで調理したり単に所定時間おいて食するものでも良い。
【００４０】
【発明の効果】
この発明のカップ麺用計量容器は、簡単な操作で正確に、調理用の水の計量と注入を行うことができる。また、水をこぼしにくいことから水位線の上方に余裕のための深さを持たせる必要が無く、薄形とすることができ、カップ麺の容器本体も小さくすることができる。
【図面の簡単な説明】
【図１】この発明の第一実施形態のカップ麺用計量容器の使用状態を示す縦断面図である。
【図２】この発明の第一実施形態のカップ麺用計量容器の部分破断正面図である。
【図３】この発明の第一実施形態のカップ麺用計量容器の平面図である。
【図４】この発明の第二実施形態のカップ麺用計量容器の部分破断正面図である。
【図５】この発明の第二実施形態のカップ麺用計量容器の平面図である。
【図６】この発明の第三実施形態のカップ麺用計量容器の部分破断正面図である。
【図７】この発明の第三実施形態のカップ麺用計量容器の平面図である。
【図８】この発明の第四実施形態のカップ麺用計量容器の縦断面図である。
【図９】この発明の第四実施形態のカップ麺用計量容器の使用状態の縦断面図である。
【図１０】この発明の第四実施形態のカップ麺用計量容器の平面図である。
【図１１】この発明の第五実施形態のカップ麺用計量容器の縦断面図である。
【図１２】この発明の第五実施形態のカップ麺用計量容器の使用状態の縦断面図である。
【図１３】この発明の第五実施形態のカップ麺用計量容器の平面図である。
【図１４】この発明の第六実施形態のカップ麺用計量容器の縦断面図である。
【図１５】この発明の第六実施形態のカップ麺用計量容器の使用状態の縦断面図である。
【図１６】この発明の第六実施形態のカップ麺用計量容器の平面図である。
【図１７】この発明の第七実施形態のカップ麺用計量容器の縦断面図である。
【図１８】この発明の第七実施形態のカップ麺用計量容器の使用状態の縦断面図である。
【図１９】この発明の第七実施形態のカップ麺用計量容器の平面図である。
【図２０】この発明の第七実施形態のカップ麺用計量容器の変形例の縦断面図である。
【図２１】この発明の第七実施形態のカップ麺用計量容器の変形例の使用状態の縦断面図である。
【図２２】この発明の第七実施形態のカップ麺用計量容器の変形例の平面図である。
【符号の説明】
１０  計量容器
１２  容器本体
１４  内容物
１６  側面
１８  底面部
２０  フランジ
２２  突起
２４  屈曲部
２６  第一屈曲線
２８  第二屈曲線
３０  切込線
３２  舌片
【図１】
0004603201.tif 000002
【図２】
0004603201.tif 000003
【図３】
0004603201.tif 000004
【図４】
0004603201.tif 000005
【図５】
0004603201.tif 000006
【図６】
0004603201.tif 000007
【図７】
0004603201.tif 000008
【図８】
0004603201.tif 000009
【図９】
0004603201.tif 000010
【図１０】
0004603201.tif 000011
【図１１】
0004603201.tif 000012
【図１２】
0004603201.tif 000013
【図１３】
0004603201.tif 000014
【図１４】
0004603201.tif 000015
【図１５】
0004603201.tif 000016
【図１６】
0004603201.tif 000017
【図１７】
0004603201.tif 000018
【図１８】
0004603201.tif 000019
【図１９】
0004603201.tif 000020
【図２０】
0004603201.tif 000021
【図２１】
0004603201.tif 000022
【図２２】
0004603201.tif 000023